(57)【要約】【課題】液晶モジュールの内部からの光を有効利用し、フロントキャビネットに光源を組み込むことなく、フロントキャビネットのロゴ等を表す透光性表示部を背後から明るく照らすことができる、液晶モジュールを備えたテレビその他の電子機器を提供する。【解決手段】液晶モジュール４をフロントキャビネット１の内側に取付けた電子機器において、液晶モジュール４のベゼル４ｊの下辺部４ｋに、液晶モジュール４の内部からの光が透過する開口部４ｍを形成し、フロントキャビネット１の方形被覆縁１ａの下辺部１ｂに、ロゴ等を表す透光性表示部６を該開口部４ｍと重なるように設けた構成とする。液晶モジュール４の内部からの光が開口部４ｍを通って透光性表示部６を背後から照らすため、光源をフロントキャビネット１に組み込む必要がなくなく、コストを低減することができる。【選択図】図１
2008197406.tif 000002
【特許請求の範囲】
【請求項１】
液晶モジュールをフロントキャビネットの内側に取付けた電子機器において、
上記液晶モジュールのベゼルの下辺部に、上記液晶モジュールの内部からの光が透過する開口部を形成し、上記フロントキャビネットに、透光性表示部として抜き文字からなるロゴを上記開口部と重なるように設けたことを特徴とする、液晶モジュールを備えた電子機器。
【請求項２】
液晶モジュールをフロントキャビネットの内側に取付けた電子機器において、
上記液晶モジュールの四周縁に、上記液晶モジュールの内部からの光が透過する光透過部を形成し、上記フロントキャビネットに透光性表示部を上記光透過部と重なるように設けたことを特徴とする、液晶モジュールを備えた電子機器。
【請求項３】
上記光透過部が、上記液晶モジュールの四周縁のベゼルに形成された開口部又は凹欠部であることを特徴とする、請求項２に記載の電子機器。
【請求項４】
電子機器がテレビであることを特徴とする、請求項１ないし請求項３のいずれかに記載の電子機器。
【発明の詳細な説明】
【技術分野】
【０００１】
本発明は液晶モジュールを備えたテレビ、パーソナルコンピュータ、カーナビゲーションその他の電子機器に関し、特に、フロントキャビネットに形成されたロゴなどを表す透光性表示部を、液晶モジュールの光を有効利用して背後から明るく照らすように改良した電子機器に関する。
【背景技術】
【０００２】
テレビその他の電子機器には、フロントキャビネットにブランドロゴや商品ロゴを表す透光性表示部を形成したものが多く、従来はこの表示部を、フロントキャビネットに組み込まれたＬＥＤやランプ等の光源で背後から照らして視認性を高めるのが一般的であった。
【０００３】
一方、液晶ディスプレイの背面に光が透過する窓を形成し、液晶ディスプレイ内の光源から出る光の一部を上記の窓から漏洩させて、この漏洩した光をキーボードの照明に利用するように工夫したコンピュータ装置が提案されている（特許文献１）。
【０００４】
また、ベゼルに位置合わせ用の挿通孔を設けた液晶表示装置（特許文献２）や、ベゼルに位置合わせ用のスリットを設けた液晶表示装置（特許文献３）も提案されている。
【特許文献１】特開２００２−１３２３７８号公報
【特許文献２】特開２００２−６２９１号公報
【特許文献３】特開２００２−１０７７００号公報
【発明の開示】
【発明が解決しようとする課題】
【０００５】
しかしながら、特許文献１のコンピュータ装置のように、液晶ディスプレイの背面に光が漏洩する窓を形成したものは、キーボードを照明することはできても、漏洩した光を利用して液晶ディスプレイの前面周縁部に設けられた透光性表示部（ロゴ等を表す表示部）を明るく照らすことはできない。
【０００６】
また、特許文献２の液晶表示装置は、ベゼルに挿通孔を形成しているが、この挿通孔は、フレームのピンを挿通して液晶セルとベゼルの位置決めを行うものであるから、液晶表示装置の内部からの光を漏洩させて透光性表示部を背後から照らすことはできない。同様に、特許文献３の液晶表示装置も、ベゼルにスリットを形成しているが、このスリットもセルの位置出しパターンに重ね合わせて位置決めを行うものであるから、液晶表示装置の内部からの光を漏洩させて透光性表示部を背後から照らすことはできない。
【０００７】
本発明は上記事情の下になされたもので、その解決しようとする課題は、液晶モジュールの内部からの光を有効利用し、フロントキャビネットに光源を組み込むことなく、フロントキャビネットのロゴ等を表す透光性表示部を背後から明るく照らすことができる、液晶モジュールを備えたテレビその他の電子機器を提供することにある。
【課題を解決するための手段】
【０００８】
上記課題を解決するため、本発明に係る電子機器は、液晶モジュールをフロントキャビネットの内側に取付けた電子機器において、上記液晶モジュールの四周縁に、上記液晶モジュールの内部からの光が透過する光透過部を形成し、上記フロントキャビネットに透光性表示部を上記光透過部と重なるように設けたことを特徴とするものである。
【０００９】
本発明の液晶モジュールを備えた電子機器においては、上記光透過部が、上記液晶モジュールの四周縁のベゼルに形成された開口部又は凹欠部であることが好ましく、また、本発明の電子機器の代表例はテレビである。
【００１０】
そして、本発明の更に具体的な好ましい電子機器は、液晶モジュールをフロントキャビネットの内側に取付けた電子機器において、上記液晶モジュールのベゼルの下辺部に、上記液晶モジュールの内部からの光が透過する開口部を形成し、上記フロントキャビネットに、透光性表示部として抜き文字からなるロゴを上記開口部と重なるように設けたことを特徴とするものである。尚、ここに「抜き文字」とは、抜き文字以外の抜き線図、抜き図形その他の抜き表示体を全て包含する広い概念の用語である。
【発明の効果】
【００１１】
本発明に係る電子機器によれば、液晶モジュールの内部からの光が、液晶モジュールの四周縁に形成された光透過部を透過して漏洩し、この光透過部と重なるようにフロントキャビネットに設けられた透光性表示部が、上記の漏洩した光で背後から明るく照らされて視認性が向上する。このように、本発明の電子機器は、液晶モジュールの内部からの光を積極的に漏洩させて、フロントキャビネットの透光性表示部を背後から照らす光として有効利用するため、従来のようにＬＥＤやランプ等の光源をフロントキャビネットに組み込むことが不要となり、コストの低減を図ることができる。
【００１２】
また、光透過部がベゼルに形成された開口部又は凹欠部であると、ベゼルの成形金型に若干の変更を加える（例えば入れコマ式とする）だけで、大幅ななコストアップを招くことなく、透光性表示部に見合った大きさの光透過部を形成できる利点がある。
【００１３】
そして、本発明の更に具体的な好ましい電子機器のように、フロントキャビネットに、透光性表示部として抜き文字からなるロゴを、液晶モジュールのベゼルの下辺部に形成された開口部と重なるように設けたものは、液晶モジュールの内部からベゼル下辺部の開口部を経て漏洩した光が、ロゴの抜き文字を通って前方へ放出されるため、輝度の高い抜き文字からなるロゴを視認できるようになり、インパクトの強いロゴ表示が可能となる。
【発明を実施するための最良の形態】
【００１４】
以下、図面を参照して本発明の具体的な実施形態を詳述する。
【００１５】
図１は本発明の一実施形態に係る液晶モジュールを備えた電子機器の正面図、図２は図１のＡ−Ａ線に沿った概略断面図、図３は同電子機器に取付けられる液晶モジュールの正面図、図４は同液晶モジュールの分解斜視図、図５は同電子機器の中間部を省略した縦断面図である。
【００１６】
この実施形態の電子機器は、液晶モジュールを備えたテレビを例示したものであって、図１，図２に示すように、フロントキャビネット１とリアキャビネット２が嵌合されて比較的薄い箱型のキャビネットが組み立てられており、このキャビネットは脚部３で支持されて起立している。そして、フロントキャビネット１の内側には液晶モジュール４が取付けられており、この液晶モジュール４の四周縁はフロントキャビネット１の方形被覆縁１ａで被覆されている。また、液晶モジュール４の背後には、プリント配線基板５等の駆動部が設けられている。
【００１７】
上記の液晶モジュール４は、図３、図４に示すように、長方形のフレーム４ａの低部に細帯状の四周のゴムスペーサ４ｂを介して長方形の光反射シート４ｃを重ね、その上に線状光源として多数本の冷陰極管４ｄを並列に配置し、この冷陰極管４ｄの上方に長方形の光拡散プレート４ｅ、下側の光拡散シート４ｆ、エンボスフィルム４ｇ、上側の光拡散シート４ｈ、液晶表示パネル４ｉを順次重ねてこれらの四周縁をフレーム４ａの内側段部に載置し、その上から長方形枠状のベゼル４ｊで液晶表示パネル４ｉの四周縁を押さえて脱落しないように固定した概略構造を有するものであって、この液晶モジュール４の下端縁に位置するベゼル４ｊの下辺部４ｋには、光透過部となる長方形の小さな開口部４ｍが形成されている。
【００１８】
上記の開口部４ｍは、液晶モジュール４の内部からの光Ｌ、つまり、内部の冷陰極管４ｄから光拡散プレート４ｅ、光拡散シート４ｆ、エンボスフィルム４ｇ、光拡散シート４ｈ、液晶表示パネル４ｉを透過してくる光Ｌの一部を、ベゼル４ｊによって遮断することなく、液晶モジュール４の下端縁の所定箇所から積極的に前方へ漏洩させるために形成されたものであって、この開口部４ｍの形成位置や大きさ等は、ロゴ等を表す後述の透光性表示部６の形成位置や大きさ等に対応合致している。
【００１９】
また、図１，図５に示すように、フロントキャビネット１の方形被覆縁１ａの下辺部１ｂには、透光性表示部６として抜き文字からなるロゴが、液晶モジュール４の上記ベゼル４ｊの開口部４ｍの前側に重なるように形成されている。この透光性表示部６は、抜き文字からなるロゴ等に限定されるものではなく、後述するような透光性合成樹脂板にロゴ等を表示したものでもよい。
【００２０】
以上のような構成のテレビ（電子機器）は、図５に矢印で示すように、液晶モジュール４の内部の冷陰極管４ｄから光拡散プレート４ｅ、光拡散シート４ｆ、エンボスフィルム４ｇ、光拡散シート４ｈ、液晶表示パネル４ｉを透過した光Ｌの一部が、ベゼル４ｊの下辺部４ｋによって遮断されることなく、該下辺部４ｋに形成された開口部４ｍを通って漏洩し、この漏洩した光Ｌが透光性表示部６のロゴの抜き文字を通って前方へ放出されるため、輝度の高い抜き文字からなるロゴを視認できるようになり、インパクトの強いロゴ表示が可能となる。このように、上記のテレビ（電子機器）は、液晶モジュール４の内部からの光Ｌを積極的に漏洩させて、フロントキャビネット１の透光性表示部６を背後から照らす光として有効利用するため、従来のようにＬＥＤやランプ等の光源をフロントキャビネット１に組み込むことが不要となり、コストの低減を図ることができる。
【００２１】
また、開口部４ｍを有するベゼル４ｊは、例えば、従来の開口部がないベゼルの成形金型の一部（開口部４ｍを形成すべき部分）を入れコマ式に変更するだけで大幅なコストアップを招くことなく簡単に製作することができ、このような入れコマ式の成形金型は、ベゼルに開口部を設けてロゴ等を光らせる必要がない場合には、入れコマを代えて開口部のないベゼルを製作することにより対応できるので、経済的である。
【００２２】
図６は本発明の他の実施形態に係る電子機器（テレビ）の中間部を省略した縦断面図である。
【００２３】
このテレビは、フロントキャビネット１の方形被覆縁１ａの下辺部１ｂに、透光性表示部６を取付けるための表示部取付口１ｃを、液晶モジュール４のベゼルの下辺部４ｋに形成された開口部４ｍと重なるように形成し、この表示部取付口１ｃに、透光性表示部６としてブランドロゴや商品ロゴなどを印刷した透光性合成樹脂板を取付けたものである。
【００２４】
このテレビの他の構成は、前述の図１〜図５に示すテレビと同様であるから、図６において同一部材に同一符号を付すにとどめ、重複する説明を省略する。
【００２５】
上記のテレビも、液晶モジュール４の内部の冷陰極管４ｄから光拡散プレート４ｅ、光拡散シート４ｆ、エンボスフィルム４ｇ、光拡散シート４ｈ、液晶表示パネル４ｉを透過した光Ｌの一部が、ベゼル４ｊの下辺部４ｋによって遮断されることなく、ベゼル下辺部４ｋの開口部４ｍを通って漏洩し、この漏洩した光Ｌが表示部取付口１ｃを通って透光性表示部６を背後から明るく照らすため、透光性表示部６の視認性が向上する。従って、このテレビも、ＬＥＤやランプ等の光源をフロントキャビネット１に組み込むことが不要となるため、コストの低減を図ることができる。
【００２６】
図７は本発明の更に他の実施形態に係る電子機器（テレビ）の中間部を省略した縦断面図、図８は同電子機器（テレビ）に使用される液晶モジュールの正面図である。
【００２７】
このテレビは、液晶モジュール４のベゼル４ｊの下辺部４ｋに、前記の開口部４ｍに代えて、光透過部となる凹欠部４ｎを形成したものである。その他の構成は、図１〜図５に示すテレビと同様であるから、図７，図８において同一部材に同一符号を付すにとどめ、重複する説明を省略する。
【００２８】
このようなテレビも、液晶モジュール４の内部の冷陰極管４ｄから光拡散プレート４ｅ、光拡散シート４ｆ、エンボスフィルム４ｇ、光拡散シート４ｈ、液晶表示パネル４ｉを透過した光Ｌの一部が、ベゼル４ｊの下辺部４ｋによって遮断されることなく、ベゼル下辺部４ｋの凹欠部４ｎを通って漏洩し、この漏洩した光が透光性表示部６のロゴの抜き文字を通って前方へ放出されるため、輝度の高い抜き文字からなるロゴを鮮明に視認することができる。従って、ＬＥＤやランプ等の光源をフロントキャビネット１に組み込むことが不要となるため、コストの低減を図ることができる。
【００２９】
尚、ベゼル４ｊの下辺部４ｋに凹欠部４ｎを形成しないで、ベゼル下辺部４ｋの幅寸法を小さくすることにより、ベゼル下辺部４ｋの上側を光透過部となし、液晶モジュール４の内部からの光Ｌがこの光透過部を通って、フロントキャビネット１の方形被覆縁の下辺部１ｂに形成された透光性表示部６を背後から照らすように構成してもよい。
【００３０】
以上、代表的な実施形態としてテレビを例示して本発明の電子機器を説明したが、本発明はテレビに限定されるものではなく、例えば、パーソナルコンピュータ、カーナビゲーションその他の液晶モジュールを備えた全ての電子機器に適用されるものである。また、上記の実施形態では、多数本の冷陰極管で背後から直接照らす所謂直下ライト方式の液晶モジュールを備えた電子機器（テレビ）を例に挙げて説明したが、本発明は、液晶モジュールとして、光拡散プレートの下側に導光板を重ね、そのサイドに冷陰極管やＬＥＤ等の光源を配置した所謂サイドエッジライト方式のものを備えた電子機器にも勿論適用されることは言うまでもない。
【図面の簡単な説明】
【００３１】
【図１】本発明の一実施形態に係る液晶モジュールを備えた電子機器の正面図である。
【図２】図１のＡ−Ａ線に沿った概略断面図である。
【図３】同電子機器に取付けられる液晶モジュールの正面図である。
【図４】同液晶モジュールの分解斜視図である。
【図５】同電子機器の中間部を省略した縦断面図である。
【図６】本発明の他の実施形態に係る電子機器の中間部を省略した縦断面図である。
【図７】本発明の更に他の実施形態に係る電子機器の中間部を省略した縦断面図である。
【図８】同電子機器に使用される液晶モジュールの正面図である。
【符号の説明】
【００３２】
１    フロントキャビネット
２    リアキャビネット
４    液晶モジュール
４ａ  フレーム
４ｄ  冷陰極管（光源）
４ｉ  液晶表示パネル
４ｊ  ベゼル
４ｋ  ベゼルの下辺部
４ｍ  光透過部となる開口部
４ｎ  光透過部となる凹欠部
６    透光性表示部
Ｌ    光
【図１】
2008197406.tif 000003
【図２】
2008197406.tif 000004
【図３】
2008197406.tif 000005
【図４】
2008197406.tif 000006
【図５】
2008197406.tif 000007
【図６】
2008197406.tif 000008
【図７】
2008197406.tif 000009
【図８】
2008197406.tif 000010